(57)【要約】【課題】既存の共同便所内の個室に簡単、安価に設置でき、利用者が手洗い前に錠に手を触れる必要がない扉装置。【解決手段】共同便所内の個室の出入口を形成し、扉が閉鎖位置にあるときの扉先端側に隣接する壁の内面に配備されていて、出入口の方向に向かっての突出及び逆方向への退避可能で、突出方向に常時付勢され、突出位置にあるときに閉鎖位置にある扉が閉鎖位置から前記開放位置の方向に向かって回動することを防止するストッパー部材と、ストッパー部材が配備されている壁の内面下部に設置され、ストッパー部材と連結されていて、踏下げによってストッパー部材を退避方向に移動させる開扉手段とを備えている共同便所内の個室の扉装置。【選択図】図１
2008280792.tif 000002
【特許請求の範囲】
【請求項１】
共同便所内の個室の出入口に基端側を中心として回動可能に配備され、前記基端側に対向する側にあたる扉先端側が前記個室の内側に位置する開放位置と、前記扉先端側が当該開放位置から前記個室の外側方向に向かって前記基端側を中心として回動して移動し前記出入口を閉鎖する閉鎖位置との間で回動する扉と、
前記扉を閉鎖位置から開放位置の方向に向かって常時回動付勢する手段と、
前記個室の出入口を形成し、前記扉が閉鎖位置にあるときの前記扉先端側に隣接する壁の内面に配備されていて、前記出入口の方向に向かっての突出及び逆方向への退避可能で、突出方向に常時付勢され、突出位置にあるときに前記閉鎖位置にある前記扉が前記閉鎖位置から前記開放位置の方向に向かって回動することを防止するストッパー部材と、
前記ストッパー部材が配備されている前記壁の内面下部に設置され、前記ストッパー部材と連結されていて、踏下げによってストッパー部材を退避方向に移動させる開扉手段と
を備えてなる共同便所内の個室の扉装置。
【請求項２】
前記ストッパー部材は、当該ストッパー部材の前記個室の内側に面する側と前記個室の外側に面する側との間の間隔である厚みが、退避側から前記出入口側に臨む突出端側の先端に向けて次第に薄くなるテーパー部を前記先端に備えており、
前記扉先端側は、前記開放位置から前記閉鎖位置に向けて前記基端側を中心として回動した際に、前記テーパー部の個室内側に向かう面に摺接して、前記ストッパー部材を退避方向に移動させつつ、前記閉鎖位置まで回動することを特徴とする請求項１記載の共同便所内の個室の扉装置。
【発明の詳細な説明】
【技術分野】
【０００１】
この発明は、共同便所における個室の出入口に設置し、扉の施錠・開錠を手を使うことなく行えるようにした共同便所内の個室の扉装置に関する。
【背景技術】
【０００２】
近年、ノロウイルス嘔吐下痢症が冬季に流行し、その対策が問題になっている。ノロウイルスの特徴は体外で非常に丈夫なことである。これにより、下痢便や吐物に含まれたウイルスが環境中で長期間生残し、患者から他の人（非感染者）へと手や吐物を介して感染が広がる性質を持っている。
【０００３】
ところで、多数の人が出入りする施設（病院、駅、デパート、学校等）の共同便所では、手洗い器は個室内に設置されていない。そして、利用者が便所内の個室に入って扉を施錠するとき、および排便後に開錠するときには、錠の操作を手で触って行うのが一般的である。
【０００４】
ここで、もし、利用者がノロウイルスに感染していて下痢をしている場合、排便時にウイルスが手に付く可能性がある。利用者は手を洗う前に開錠をしなくてはならないが、そのとき手から錠にウイルスが付着し、そのウイルスが後に利用する非感染者の手に付き、共同便所の錠を介して感染が拡大する可能性が考えられる。
【０００５】
このような共同便所での感染の可能性を減らすためには、利用者が手洗いの前に錠に手を触れないようにすることが望ましい。発明者等は、このような観点のもとに、既に提案されている扉装置について調査を行い、以下のようなものを発見した。
【０００６】
一つは、出入口に基端側を中心として回動可能に配備され、開放状態から閉鎖状態に自動復帰するように付勢して取り付けられた空錠のドアに対してその基端側に対向する側にあたる扉先端側から係脱自在に係合せられたキックレバーが、前記ドアの閉鎖方向に回動するように付勢されると共に、足踏みされたペダルに応動して前記ドアの開放方向に回動するようになされているドアの開放装置である（特許文献１）。
【０００７】
二つ目は、蝶番式扉において、扉に取り付ける側の蝶番の羽と回転軸を緊締し回転軸の下方の延長先に傘歯車を取り付ける一方、回転軸と交わる伝導軸の先にも傘歯車を取り付けて両傘歯車をかみ合わせると共に、伝導軸にはクランクを緊締し、リンクを介して梃子に連接し、梃子の先端を踏み子（ペダル）とした構造の足踏み式扉開閉装置である（特許文献２）。
【０００８】
そして、三つ目は、扉と、該扉を開放状態に付勢する付勢手段と、開口部の縦框に沿って設けられ上下端が回転自在に支持される円柱状の戸当たりと、該戸当たりの上下端に亘って形成され前記扉が閉められた際に当接面となる戸当たり面と、前記戸当たりの下端に該戸当たりと同一中心で形成され外周に螺旋溝が形成された係合軸と、該係合軸近傍の床に設けられ押下手段により上下動されると共に、前記螺旋溝に係合する突起が形成されたことで前記係合軸を介して前記戸当たりを回転させる係合腕と、前記扉と前記戸当たり面とに亘って設けられ前記付勢手段の付勢力より大きい吸着力を有するマグネットとからなる扉の開閉機構である（特許文献３）。
【特許文献１】実開昭６３−２８７７６号公報
【特許文献２】実公昭３０−３５９号公報
【特許文献３】実開平５−７８８５号公報
【発明の開示】
【発明が解決しようとする課題】
【０００９】
特許文献１のドアの開放装置は、常時締まっていて、錠がかかっていない（空錠の）ドアを足で手前に蹴り開ける装置と認められる。工場などで、油に汚れた手を握り玉（ノブ）に触れないでドアを手前に開ける目的のものであって、常時内側に開いている共同便所の個室扉に応用することは難しい。
【００１０】
特許文献２の足踏み式扉開閉装置は、伝導軸を床下に設置する必要があるなど構造が複雑で、工事が大変であると認められた。
【００１１】
更に、特許文献３の扉の開閉装置も、係合軸や係合腕を床下に設置する必要があり、構造も複雑であると認められた。
【００１２】
この発明は、以上の如くの従来技術に鑑み、既存の共同便所内の個室にも簡単に設置でき、利用者が手洗い前に錠に手を触れる必要がない扉装置を提供することを目的にしている。
【課題を解決するための手段】
【００１３】
上記の目的を達成するため、この発明が提案する共同便所内の個室の扉装置は、共同便所内の個室の出入口に基端側を中心として回動可能に配備され、前記基端側に対向する側にあたる扉先端側が前記個室の内側に位置する開放位置と、前記扉先端側が当該開放位置から前記個室の外側方向に向かって前記基端側を中心として回動して移動し前記出入口を閉鎖する閉鎖位置との間で回動する扉と、当該扉を閉鎖位置から開放位置の方向に向かって常時回動付勢する手段とを備えている。
【００１４】
更に、前記個室の出入口を形成し、前記扉が閉鎖位置にあるときの前記扉先端側に隣接する壁の内面に配備されていて、前記出入口の方向に向かっての突出及び逆方向への退避可能で、突出方向に常時付勢され、突出位置にあるときに前記閉鎖位置にある前記扉が前記閉鎖位置から前記開放位置の方向に向かって回動することを防止するストッパー部材と、前記ストッパー部材が配備されている前記壁の内面下部に設置され、前記ストッパー部材と連結されていて、踏下げによってストッパー部材を退避方向に移動させる開扉手段とを備えているものである。
【００１５】
前記本発明の共同便所内個室の扉装置において、前記ストッパー部材は、当該ストッパー部材の前記個室の内側に面する側と前記個室の外側に面する側との間の間隔である厚みが、退避側から前記出入口側に臨む突出端側の先端に向けて次第に薄くなるテーパー部を前記先端に備えており、前記扉先端側は、前記開放位置から前記閉鎖位置に向けて前記基端側を中心として回動した際に、前記テーパー部の個室内側に向かう面に摺接して、前記ストッパー部材を退避方向に移動させつつ、前記閉鎖位置まで回動するものとすることができる。
【発明の効果】
【００１６】
このように構成されるこの発明の共同便所内個室の扉装置は構造が簡便である。
【００１７】
しかも、既存の共同便所内の個室の出入口には、基端側を中心として回動可能に配備され、前記基端側に対向する側にあたる扉先端側が前記個室の内側に位置する開放位置と、前記扉先端側が当該開放位置から前記個室の外側方向に向かって前記基端側を中心として回動して移動し前記出入口を閉鎖する閉鎖位置との間で回動する扉と、前記扉を閉鎖位置から開放位置の方向に向かって常時回動付勢する手段とが既に設けられているのが一般的である。
【００１８】
そこで、新設、既設の共同便所内の個室にかかわらず、本発明の扉装置は簡単に設置することができる。すなわち、既存の共同便所内の個室の出入口の場合にあっては、ストッパー部材と、踏下げによって当該ストッパー部材を退避方向に移動させる開扉手段とを個室出入口の壁の内面に設置するだけで装置を完成することができる。
【００１９】
そして、利用者は、手洗い前に錠に触れないようにできるので、本発明の装置の普及によって社会におけるノロウイルスの広がりを抑えることが期待できるという衛生上の大きな効果を上げることができる。
【発明を実施するための最良の形態】
【００２０】
以下、この発明の好ましい実施の形態を添付の図面を参照して説明する。
【００２１】
図１は、この発明の共同便所内の個室の扉装置を個室１の内側から見た正面図である。
【００２２】
個室１の出入口２に基端側（図１中、左側）を中心として扉３が回動可能に配備されている。すなわち、扉３は、図２に実線で示すように、基端側に対向する側にあたる扉先端側（図１中、右側）が個室１の内側に位置する開放位置と、図２に鎖線で示すように、扉先端側が開放位置から個室１の外側方向（図２中、上側方向）に向かって基端側を中心として回動して移動し出入口２を閉鎖する閉鎖位置との間で回動するようになっている。
【００２３】
この扉３に対しては、扉３を図２に鎖線で示す閉鎖位置から、図２に実線で示す開放位置の方向に向かって常時回動付勢する手段が配備されている。図示の実施形態では、この常時回動付勢する手段として、自動復帰型の蝶番４が採用されている。
【００２４】
自動復帰型の蝶番４は、例えば、内部にばね部材や傾斜案内部材などを内蔵したものからなる。
【００２５】
このような構成は、従来一般に見られる共同便所内の個室の扉装置と略同様であって、従来は、扉３の基端側（図１中、左側）に対向する側にあたる扉先端側（図１中、右側）に隣接する壁５の内面に、人間が手で開閉動作を行なう開閉錠が設けられていた。
【００２６】
この発明の共同便所内の個室の扉装置には、従来のような、人間が手で開閉動作を行なう開閉錠は設けられていない。
【００２７】
本発明においては、個室１の出入口２を形成している壁であって、扉３が図２に鎖線で示す閉鎖位置にあるときの扉先端側に隣接する壁５の内面に、従来公知の開閉錠に代えて、ストッパー部材と、このストッパー部材を操作するための開扉手段とが設けられている。
【００２８】
図示の実施形態では、このストッパー部材として、空締めボルト（ラッチボルト）６が採用され、壁５の内面にガイドケース８を介して面付けされている。
【００２９】
空締めボルト６は、出入口２の方向に向かって突出可能（図１中、左側方向に移動）になっているとともに、これと逆の方向に退避（図１中、右側方向に移動）可能になっている。そして、常時、突出方向（出入口２に向かう方向であるの図１中、左側方向）に付勢されている。図示の実施形態では、空締めボルト６は、ガイドケース８に内蔵されているコイルスプリング９によって、常時、突出方向に付勢されている。
【００３０】
空締めボルト６は、図１、図３（ｂ）に示すように、突出位置にあるときに閉鎖位置にある扉３が図２に鎖線で示す閉鎖位置から図２に実線で示す開放位置の方向に向かって回動することを防止するようになっている。
【００３１】
空締めボルト６は、図３（ａ）、（ｂ）に示すように、空締めボルト６の個室１の内側に面する側と個室１の外側に面する側との間の間隔である厚みが、退避側（図３中、右側）から出入口２側に臨む突出端側（図３中、左側）の先端に向けて次第に薄くなるテーパー部１０を先端に備えている。
【００３２】
そして、扉３の扉先端側（図１中、右側）は、図２に実線で示す開放位置から図２に鎖線で示す閉鎖位置に向けて基端側を中心として回動した際に、図３（ａ）に示すように、テーパー部１０の個室１内側に向かう面に摺接して、空締めボルト６をコイルスプリング９の付勢にかかわらず退避方向（図３（ａ）中、矢印１４で示す方向）に移動させつつ、図３（ｂ）に示すように、図２に鎖線で示す閉鎖位置まで回動する。
【００３３】
個室１の出入口２を形成している壁であって、扉３が図２に鎖線で示す閉鎖位置にあるときの扉先端側に隣接する壁５の内面に、ストッパー部材である空締めボルト（ラッチボルト）６と供に配備されている、ストッパー部材を操作するための開扉手段は、空締めボルト６が配備されている壁５の内面下部に設置され、空締めボルト６と連結されていて、踏下げによって空締めボルト６を退避方向に移動させるものであって、図示の実施形態では次のように構成されている。
【００３４】
空締めボルト６の後端部（退避側の端）に、図１図示のように、ワイヤ１１の一端が連結され、このワイヤ１１の他端に開扉ペダル７が連結されている。ワイヤ１１の一端と他端との間は、ガイドケース８に設けたガイドプーリ１２と、壁５の内面の個室床面１ａ近くに設置されたガイドブラケット１３で案内されている。なお、ワイヤとガイドプーリの代わりにロッドと梃子を介して空締めボルトを操作するようにしてもよい。
【００３５】
空締めボルト６を操作するための開扉手段である開扉ペダル７は、踏下げできるようになっており、踏下げしていない状態で、個室床面１ａから所定の間隔を空けた個室床面１ａの上側に位置するように配備されている。この所定の間隔は、開扉ペダル７が踏下げされていない状態のときに、図１、図３（ａ）図示のように、空締めボルト６の先端部（突出側の端）が出入口２方向に突出しており、扉ペダル７を踏下げしたときに、空締めボルト６の先端部（突出側の端）が、図３（ａ）に示す突出状態から、図３（ｂ）に示す退避状態にまで移動できる距離に相当する。
【００３６】
開扉ペダル７は、例えば、図４に示したようにワイヤ１１の他端に開扉ペダル７が直交するように固定されている形態としたり、図５に示したように鐙形状でその上端側がワイヤ１１の他端に掛合している湾曲部の下端に開扉ペダル７が形成されている形態にすることができる。
【００３７】
図３（ａ）、（ｂ）は、上記のように構成された本発明による共同便所内の個室の扉装置の扉３を、ひじや足などで開放位置（図２に実線で図示）から閉鎖位置（図２に鎖線で図示）へ回動させたときの様子を説明する図である。
【００３８】
図３（ａ）のように、扉３が出入口２に近づいてくると、扉先端側の側縁３ａが空締めボルト６のテーパー部１０の個室１内側に向かう面に当たり、空締めボルト６を矢示１４のように退避させ、空締めボルト６が存在している位置を越えて図３（ｂ）のように、壁５と面一の閉鎖位置まで回動する。
【００３９】
扉３が閉鎖位置で確実に停止するよう、図３に示したように、壁５の外面側に戸当り１５を設けるようにしても良い。
【００４０】
扉３が閉鎖位置まで回動すると、空締めボルト６はコイルスプリング９の付勢力で矢示１６の突出方向に自動的に移動し、扉３の閉鎖状態をロックし、蝶番４の回動付勢力に拘わらず、扉３を閉鎖位置に維持することができる。
【００４１】
個室１を利用した人が、個室１から出るときには、開扉ペダル７を足で踏下して扉３を開放することができる。開扉ペダル７を踏下すると、その力はワイヤ１１を介して空締めボルト６に伝達され、空締めボルト６を図３（ｂ）に矢示１７で示す方向に退避させ、扉３のロックを解除する。
【００４２】
ロックを解除された扉３は蝶番４の回動付勢力によって図３（ｂ）に矢示１８で示す方向に自動的に回動し、出入口２を解放することができる。
【００４３】
このように、この発明の共同便所内の個室の扉装置は、構造が簡素であるので、簡単に設置して利用に供することができる。特に既存の共同便所内の個室では、扉３と、蝶番４が既に設けられている場合が多いので、空締めボルト６と開扉ペダル７を追加設置するだけで、本発明の扉装置を完成することができる。
【００４４】
そして、共同便所内の個室の利用者は、排便後、手を洗うまで、手を何かに接触させる必要がなくなるので、ノロウイルスの感染を抑えることができる。すなわち、安価なコストでノロウイルスの感染を未然に食い止めるという絶大な効果がある。
【００４５】
以上、添付図面を参照して本発明の好ましい実施形態を説明したが、本発明はかかる実施形態に限定されるものではなく、特許請求の範囲から把握される技術的範囲において種々の形態に変更可能である。
【図面の簡単な説明】
【００４６】
【図１】この発明の共同便所内の個室の扉装置を個室の内側から見た正面図。
【図２】この発明の共同便所内の個室の扉装置を個室の上側から見た平面図
【図３】この発明の共同便所内の個室の扉装置において扉が閉鎖位置に固定される状態を説明する平面図であって、（ａ）は扉が出入口に近づいてきたときの図、（ｂ）は扉が閉鎖位置まで回動したときの図。
【図４】この発明の共同便所内の個室の扉装における開扉ペダルの一例を説明する斜視図。
【図５】この発明の共同便所内の個室の扉装における開扉ペダルの他の例を説明する斜視図。
【符号の説明】
【００４７】
１      個室
２      出入口
３      扉
４      蝶番
５      壁
６      空締めボルト
７      開扉ペダル
８      ガイドケース
９      コイルスプリング
１０    テーパー面
【図１】
2008280792.tif 000003
【図２】
2008280792.tif 000004
【図３】
2008280792.tif 000005
【図４】
2008280792.tif 000006
【図５】
2008280792.tif 000007